(57)【要約】【課題】２次元コードを効果的に利用し得るアクセサリ及び２次元コードスタンプを提供し、利便性の高いコンテンツ提供を行うコンテンツ提供装置を提供する。【解決手段】上記コンテンツ提供装置は、複数コンテンツをそれぞれ管理する管理手段と、この複数コンテンツの各々にネットワークを介してアクセスするための各アクセス情報をそれぞれ取得する取得手段と、各アクセス情報をそれぞれ含む各２次元コードがそれぞれ裏面に付された複数のアクセサリが製造されるように、当該各２次元コードをそれぞれ生成する生成手段と、上記複数のアクセサリのいずれか１つの裏面に付された２次元コードを読み取ることにより取得されるアクセス情報に基づいて、端末装置から、上記複数コンテンツのうちこのアクセス情報により特定されるコンテンツ情報の要求を受信する受信手段と、要求されたコンテンツ情報に関するデータを上記端末装置に送信する送信手段とを備える。【選択図】図２
2009009292.tif 000002
【特許請求の範囲】
【請求項１】
複数コンテンツをそれぞれ管理する管理手段と、
前記複数コンテンツの各々にネットワークを介してアクセスするための各アクセス情報をそれぞれ取得する取得手段と、
前記各アクセス情報をそれぞれ含む各２次元コードがそれぞれ裏面に付された複数のアクセサリが製造されるように、該各２次元コードをそれぞれ生成する生成手段と、
前記複数のアクセサリのいずれか１つの裏面に付された２次元コードを読み取ることにより取得されるアクセス情報に基づいて、端末装置から、前記複数コンテンツのうちこのアクセス情報により特定されるコンテンツ情報の要求を受信する受信手段と、
前記要求されたコンテンツ情報に関するデータを前記端末装置に送信することにより前記端末装置にこのコンテンツ情報を表示させる送信手段と、
を備えることを特徴とするコンテンツ提供装置。
【請求項２】
複数コンテンツをそれぞれ管理する管理手段と、
前記複数コンテンツの各々にネットワークを介してアクセスするための各アクセス情報をそれぞれ取得する取得手段と、
前記各アクセス情報をそれぞれ含む各２次元コードをそれぞれ押印する複数の２次元コードスタンプが製造されるように、該各２次元コードをそれぞれ生成する生成手段と、
記録媒体に記録されていたデジタルデータを第１端末装置から受信し、この受信されたデジタルデータを、前記複数コンテンツのうち該記録媒体に取り付けられた前記複数の２次元コードスタンプのいずれか１つの２次元コードスタンプに対応するアクセス情報により特定されるコンテンツに掲載する掲載手段と、
前記記録媒体に取り付けられた２次元コードスタンプにより押印された２次元コードを読み取り取得されるアクセス情報に基づいて、第２端末装置から、前記複数コンテンツのうちこのアクセス情報により特定されるコンテンツ情報の要求を受信する受信手段と、
前記受信手段により受信された要求に対応し前記掲載手段により掲載されたデジタルデータを含むコンテンツ情報データを前記第２端末装置に送信することによりこの第２端末装置にこのデジタルデータを含むコンテンツ情報を表示させる送信手段と、
を備えることを特徴とするコンテンツ提供装置。
【請求項３】
ネットワーク上に設けられた複数コンテンツの少なくとも１つにアクセスするためのアクセス情報を含む２次元コードが裏面に付されたアクセサリ。
【請求項４】
ネットワーク上に設けられた複数コンテンツの少なくとも１つにアクセスするためのアクセス情報を含む２次元コードを押印するスタンプであって、記録媒体に取り付けられる２次元コードスタンプ。
【発明の詳細な説明】
【技術分野】
【０００１】
本発明は、２次元コードを用いたコンテンツ提供技術に関する。
【背景技術】
【０００２】
現在、携帯電話にはデジタルカメラが内蔵されており、このデジタルカメラで撮影されたピクチャデータを電子メールに添付して送信することはよく行われている。また、携帯電話でインターネットにアクセスし所望のホームページを閲覧したり、音楽をダウンロードして携帯電話により楽しむこともよく行われている。
【０００３】
これに伴い、ＱＲ（Quick Response）コード（登録商標）等の２次元コードが多くの雑誌や広告等に印刷されている。これら雑誌や広告を閲覧したユーザは、携帯電話に内蔵されたデジタルカメラでこの２次元コードを読み取ることにより、ＵＲＬ（Uniform Resource Locator）やメールアドレスを入力することなく所望のＷＥＢページを閲覧したり所望の相手に電子メールを送信したりすることができる。
【０００４】
このような２次元コードを用いて各種サービスを提供する手法については様々な手法が提案されている。下記特許文献１には、キャンペーン会場内に所定のコード情報を表示する手段を設置し、来場者が自己の携帯電話でこのコード情報を読み取り所定のＷＥＢサーバにアクセスすることによりクイズ等のキャンペーンに応募することのできるＷＥＢページが提供されるというサービス提供手法が開示されている。下記特許文献２には、ＷＥＢページのＵＲＬ情報（所在情報）を含む２次元コード自体をスタンプ（多孔性印面部材）化し、このスタンプにより押印された印影からデコードされた所在情報にアクセスすることにより通信端末に当該ＷＥＢページを表示させるというサービス提供手法が開示されている。
【特許文献１】特開２００６−４８４２８号公報
【特許文献２】特開２００５−１７４２５７号公報
【発明の開示】
【発明が解決しようとする課題】
【０００５】
しかしながら、上述のような２次元コードは、広告や雑誌等の紙面に印刷されているのが一般的である。従って、好きなときにこの２次元コードを利用したい場合には、２次元コードの印刷された紙面を持ち歩かなければならなかった。
【０００６】
一方、上記特許文献２に開示されている手法によれば、２次元コードスタンプを持ち歩き好きなときに押印さえすれば所望の２次元コードを利用することができる。しかしながら、この手法では、２次元コードスタンプ（印鑑本体）の販売時点ではＵＲＬ情報が２次元コードとして刻印されていない。すなわち、この手法は、印鑑本体を購入したユーザが、この印鑑本体に記載されているＵＲＬにアクセスしそのページで自身のユーザ情報を登録すると、所望のＷＥＢページが作成され、このＷＥＢページにアクセスするためのＵＲＬが刻印されたスタンプ面がそのユーザへ送られてくるというものである。
【０００７】
従って、この手法における２次元コードスタンプは購入後すぐに使用することができるものではない。
【０００８】
本発明は、このような問題点に鑑み、２次元コードを効果的に利用し得るアクセサリ及び２次元コードスタンプを提供し、これらを利用することにより利便性の高いコンテンツ提供を行うコンテンツ提供装置を提供することを目的とする。
【課題を解決するための手段】
【０００９】
本発明は、上述した課題を解決するために以下の構成を採用する。即ち、本発明の第一の態様は、複数コンテンツをそれぞれ管理する管理手段と、この複数コンテンツの各々にネットワークを介してアクセスするための各アクセス情報をそれぞれ取得する取得手段と、各アクセス情報をそれぞれ含む各２次元コードがそれぞれ裏面に付された複数のアクセサリが製造されるように、当該各２次元コードをそれぞれ生成する生成手段と、上記複数のアクセサリのいずれか１つの裏面に付された２次元コードを読み取ることにより取得されるアクセス情報に基づいて、端末装置から、上記複数コンテンツのうちこのアクセス情報により特定されるコンテンツ情報の要求を受信する受信手段と、要求されたコンテンツ情報に関するデータを上記端末装置に送信することにより上記端末装置にこのコンテンツ情報を表示させる送信手段とを備えるコンテンツ提供装置に係るものである。
【００１０】
本発明の第一態様では、コンテンツ提供装置において、ユーザ毎に割り当てられる複数コンテンツが管理され、これら各コンテンツにアクセスするための各アクセス情報をそれぞれ含むように複数の２次元コードが生成される。この生成された複数の２次元コードの各々は、アクセサリの裏面に付されて提供される。
【００１１】
ここで、コンテンツとは、ネットワーク上でのロケーション毎に識別され、閲覧され得るデータ群を意味する。アクセス情報とは、各コンテンツにアクセスするための所在場所情報であり、例えばＵＲＬがある。また、アクセサリとは、人間が身に付ける装飾品の他、ペットや人間が所有する道具（備品）等に付ける装飾品等、装飾品全般を意味する。
【００１２】
一方、端末装置では、このアクセサリの裏面に付された２次元コードが読み取られ、その２次元コードに含まれるアクセス情報が取得される。これにより、端末装置は、コンテンツ提供装置にこの取得されたアクセス情報で特定されるコンテンツ情報を要求し、コンテンツ提供装置から送信されるそのコンテンツ情報に関するデータを受信することでそのコンテンツ情報を表示する。
【００１３】
本発明の第一態様によれば、上記アクセサリを取得したユーザは、即座に、コンテンツ提供装置により管理される複数のコンテンツのうちそのアクセサリの裏面に付された２次元コードに対応するコンテンツを利用することができる。併せて、このユーザは、このアクセサリを装飾品として楽しむこともできるため、２次元コードを効果的に利用することができる。
【００１４】
更に、アクセサリを取得したユーザは、その他の第３者ユーザに対し、携帯しているアクセサリに付された２次元コードをその第３者ユーザの利用する端末装置を用いて読み取らせることにより、自身の所有するコンテンツを簡単に閲覧させることができる。この第３者ユーザの利用する端末装置が例えば携帯電話等の移動体端末であれば、いつでもどこでも自身のコンテンツを閲覧させることができる。すなわち、本発明の第一態様によれば、利便性の高いコンテンツ提供を行うことができる。
【００１５】
本発明は、このようなコンテンツ提供装置で利用される、ネットワーク上に設けられた複数コンテンツの少なくとも１つにアクセスするためのアクセス情報を含む２次元コードが裏面に付されたアクセサリに関するものでもある。
【００１６】
本発明の第二の態様は、複数コンテンツをそれぞれ管理する管理手段と、この複数コンテンツの各々にネットワークを介してアクセスするための各アクセス情報をそれぞれ取得する取得手段と、各アクセス情報をそれぞれ含む各２次元コードをそれぞれ押印する複数の２次元コードスタンプが製造されるように、該各２次元コードをそれぞれ生成する生成
手段と、記録媒体に記録されていたデジタルデータを第１端末装置から受信し、この受信されたデジタルデータを、上記複数コンテンツのうち当該記録媒体に取り付けられた上記複数の２次元コードスタンプのいずれか１つの２次元コードスタンプに対応するアクセス情報により特定されるコンテンツに掲載する掲載手段と、上記記録媒体に取り付けられた２次元コードスタンプにより押印された２次元コードを読み取り取得されるアクセス情報に基づいて、第２端末装置から、上記複数コンテンツのうちこのアクセス情報により特定されるコンテンツ情報の要求を受信する受信手段と、この受信手段により受信された要求に対応し上記掲載手段により掲載されたデジタルデータを含むコンテンツ情報データを上記第２端末装置に送信することによりこの第２端末装置にこのデジタルデータを含むコンテンツ情報を表示させる送信手段とを備えるコンテンツ提供装置に係るものである。
【００１７】
本発明の第二態様では、第一態様のアクセサリに代わり、コンテンツ提供装置により生成される各２次元コードをそれぞれ押印する複数の２次元コードスタンプが提供される。この２次元コードスタンプは記録媒体に取り付けられ携帯される。この記録媒体に記録されたデジタルデータは、第１端末装置からコンテンツ提供装置に送られ、コンテンツ提供装置においてこの記録媒体に取り付けられた２次元コードスタンプに対応するアクセス情報で特定されるコンテンツに掲載される。ここで、デジタルデータとは、例えば音声データ、写真データ、動画データである。
【００１８】
一方で、第２端末装置では、記録媒体に取り付けられた２次元コードスタンプで押印された２次元コードが読み取られ、この２次元コードに含まれるアクセス情報が取得される。これにより、第２端末装置は、コンテンツ提供装置にこの取得されたアクセス情報で特定されるコンテンツ情報を要求し、コンテンツ提供装置から送信される、当該記録媒体に記録されていたデジタルデータを含むコンテンツ情報に関するデータを受信することでそのデジタルデータの掲載されたコンテンツ情報を表示する。ここで、記録媒体とは、デジタルカメラ、ボイスレコーダ、携帯電話等のデジタルデータを記録する媒体をいう。
【００１９】
従って、本発明の第二態様によれば、２次元コードスタンプを取得したユーザは、即座に、コンテンツ提供装置により管理される複数のコンテンツのうちその２次元コードスタンプで押印される２次元コードに対応するコンテンツを利用することができる。更に、このユーザは、第１端末を用いて記録媒体に記録されたデジタルデータをこの利用するコンテンツに掲載させることができる。
【００２０】
更に、２次元コードスタンプを取得したユーザは、記録媒体にこのスタンプを取り付けて携帯していれば、この記録媒体に記録されるデジタルデータを閲覧させたいその他の第３者ユーザに対し、この２次元コードスタンプを用いて何らかの紙面に２次元コードを押印してこの紙面を渡すだけで、この第３者ユーザにそのデジタルデータを簡単に閲覧させることが可能となる。従来であれば、そのデジタルデータが掲載されたページのＵＲＬ等をメモ書きして渡し、これを渡された第３者ユーザはそのＵＲＬを入力して閲覧する必要があったのに対して、本発明によればこの作業を簡易化することができる。すなわち、本発明の第二態様によれば、利便性の高いコンテンツ提供を行うことができる。
【００２１】
本発明は、このようなコンテンツ提供装置で利用される、ネットワーク上に設けられた複数コンテンツの少なくとも１つにアクセスするためのアクセス情報を含む２次元コードを押印するスタンプであって、記録媒体に取り付けられる２次元コードスタンプに関するものでもある。
【００２２】
なお、本発明は、上述したコンテンツ提供装置により実行されるコンテンツ提供方法、情報処理装置（コンピュータ）を上述のコンテンツ提供装置として機能させるプログラム、或いは、当該プログラムを記録したコンピュータが読み取り可能な記憶媒体としても実
現可能である。
【発明の効果】
【００２３】
本発明によれば、２次元コードを効果的に利用し得るアクセサリ及び２次元コードスタンプを提供することができ、更にこれらを利用した利便性の高いコンテンツ提供を行うコンテンツ提供装置を提供することができる。
【発明を実施するための最良の形態】
【００２４】
以下、図面を参照して、本発明の実施形態としてのコンテンツ提供システムについて説明する。以下に示す各実施形態の構成はそれぞれ例示であり、本発明は各実施形態の構成に限定されるものではない。
【００２５】
［第一実施形態］
以下、本発明の第一実施形態としてのコンテンツ提供システムについて説明する。
【００２６】
〔ビジネスモデル〕
まず、この第一実施形態のコンテンツ提供システムを利用して実現されるビジネスモデルについて図１及び２を参照しながら説明する。図１は、第一実施形態のコンテンツ提供システムで利用されるアクセサリを示す図である。図２は、第一実施形態のコンテンツ提供システムのシステム構成及びビジネスモデルの概念を示す図である。
【００２７】
第一実施形態におけるコンテンツ提供システムでは、図１及び２で示されるように、ＱＲコード（登録商標）、バーコード等の２次元コード７が付されたアクセサリ５が利用される。このアクセサリ５は、人間が身につける装飾品であってもよいし、携帯電話等の備品に付けられる装飾品であってもよいし、ペットが身につける装飾品であってもよい。
【００２８】
図１及び２で示されるアクセサリ５は、表面には装飾が施されており、その裏面に２次元コード７としてＱＲコード（登録商標）が印刷されている。この２次元コード７は、図２に示すコンテンツサーバ１０により管理される複数コンテンツの少なくとも１つへアクセスするためのアクセス情報（例えば、ＵＲＬ）が含まれるように生成される。本実施形態におけるコンテンツ提供システムでは、コンテンツサーバ１０上の各コンテンツへアクセスするためのＵＲＬを含む各２次元コード７が印刷された複数のアクセサリ５がユーザへ提供される。
【００２９】
このように提供されるアクセサリ５を取得した第１ユーザは、このアクセサリ５を自身で身に付けたり、ペットに身に付けさせたりすることで、このアクセサリ５を装飾品として楽しむことができる。一方で、この第１ユーザは、そのアクセサリ５の裏面に印刷された２次元コード７に含まれるＵＲＬにより特定されるコンテンツサーバ１０上のコンテンツを自身のコンテンツとして利用することができる。例えば、第１ユーザは、このコンテンツを自身のブログとして利用するようにしてもよいし、ホームページとして利用してもよい。以下、このようなアクセサリ５を取得した第１ユーザを、そのアクセサリに付された２次元コードが示すコンテンツのコンテンツ所有ユーザと表記する場合もある。
【００３０】
第１ユーザは、友人等の第３者ユーザに、このアクセサリ５の裏面に印刷された２次元コード７を携帯電話等により読み込ませることにより、自身のコンテンツを即座に閲覧させることができる。以下、この第３者ユーザのようなコンテンツ所有ユーザのコンテンツを閲覧する者を閲覧ユーザと表記する場合もある。
【００３１】
〔システム構成〕
以下、第一実施形態におけるコンテンツ提供システムのシステム構成について図２を用
いて説明する。図２に示されるように、本実施形態におけるコンテンツ提供システムは、コンテンツサーバ１０、製造システム５０等から構成される。
【００３２】
コンテンツサーバ１０は、例えばインターネット１へ接続される。これにより、コンテンツサーバ１０は、閲覧ユーザが利用する携帯電話２０と、移動体通信システム３０及びインターネット１を介して通信可能となる。本願発明は、閲覧ユーザが利用するユーザ端末を携帯電話２０に限定するものではなく、コンテンツサーバ１０により提供されるコンテンツを閲覧可能な機能を持ち２次元コードを読み込みデコードする機能を持つ端末であればよい。以降、この携帯電話２０をユーザ端末２０と表記する場合もある。また、本願発明は、携帯電話２０をインターネット１へ接続させる移動体通信システム３０の機能を限定するものでもない。
【００３３】
コンテンツサーバ１０は、製造システム５０へ、自身が管理する複数コンテンツへの各アクセス情報（ＵＲＬ情報）をそれぞれ受け渡すことができるように構成される。
【００３４】
〔装置構成〕
以下、第一実施形態におけるコンテンツサーバ１０及び携帯電話２０の各機能構成について図３を用いてそれぞれ説明する。図３は、第一実施形態におけるコンテンツサーバ１０及び携帯電話２０の機能構成の概略を示すブロック図である。
【００３５】
〈コンテンツサーバ〉
コンテンツサーバ１０は、ハードウェア構成として、ＣＰＵ（Central Processing Unit）、メモリ、入出力インタフェース等を備える。コンテンツサーバ１０は、パーソナル
コンピュータ（以降、ＰＣと表記する）等のような汎用コンピュータで構築されてもよいし、専用コンピュータで構築されるようにしてもよい。本発明は、このようなコンテンツサーバ１０のハードウェア構成を限定するものではない。コンテンツサーバ１０は、例えば、ハードディスク等のメモリに記憶されるアプリケーションプログラムがＣＰＵにより読み出され実行されることにより、図３に示す各機能部を実現する。
【００３６】
コンテンツサーバ１０は、複数コンテンツをインターネットを介してユーザに提供するＷＥＢサーバ機能を持つ。ここで、本実施形態におけるコンテンツとは、ネットワーク上でのロケーション毎に閲覧し得るデータ（ＷＥＢページ等）群を意味するものとし、各ユーザにそれぞれ割り当てられるロケーションを特定するためのＵＲＬで識別される。
【００３７】
更に、コンテンツサーバ１０は、各コンテンツにアクセスしてきたユーザを識別する機能を持つ。コンテンツサーバ１０は、所定コンテンツにアクセスするユーザを識別し、そのユーザがその所定コンテンツのコンテンツ所有ユーザであることを認証すると、その所定コンテンツの更新を許可する。
【００３８】
更に、コンテンツサーバ１０は、複数のコンテンツの各々にアクセスするための各ＵＲＬを含む各２次元コードをそれぞれ生成する機能を持つ。コンテンツサーバ１０は、生成された各２次元コードをそれぞれ製造システム５０へ送る。この２次元コードを製造システム５０へ送る手法としては、ネットワークを用いて通信により送るようにしてもよいし、ＵＳＢメモリ等の可搬型記録媒体を用いるようにしてもよい。
【００３９】
なお、本実施形態では、コンテンツ提供方法としてＷＷＷ（World Wide Web）を用いる例を示すが、専用のデータ提供手法を用いるようにしてもよい。この場合、コンテンツとしては所定フォーマットのデータが利用され、アクセス情報としてそのデータへアクセスするためのアドレス情報が利用されるようにすればよい。
【００４０】
コンテンツサーバ１０は、このような機能を実現するべく、通信部１１、ＷＥＢサーバ部１２、コンテンツ格納部１３、ＵＲＬ取得部１４、２次元コード生成部１５、ユーザ認証部１６、ユーザ情報格納部１７等を備える。以下、これらコンテンツサーバ１０の各機能部についてそれぞれ説明する。
【００４１】
通信部１１は、インターネット１へ接続するためのネットワークインタフェースカード等を制御し、ＨＴＴＰ（Hypertext Transfer Protocol）等のプロトコルによりユーザ端
末２０との間のデータの送受信を行う。通信部１１は、ＷＥＢサーバ部１２から送られるＷＥＢページ等のデータをユーザ端末へ送信する。また、通信部１１は、当該ＷＥＢページがユーザ端末上で操作されることに伴いユーザ端末から送信されるデータを受けると、そのデータをＷＥＢサーバ部１２へ送る。
【００４２】
ＷＥＢサーバ部１２は、ユーザ端末からのアクセスを制御し、ユーザから要求されたコンテンツを形成するデータ群（ＷＥＢページ等）をそのユーザ端末へ送信する。具体的には、ＷＥＢサーバ部１２は、ユーザ端末から所定のＵＲＬのデータ要求を受けると、コンテンツ格納部１３に格納される複数のコンテンツのうちこのＵＲＬで特定されるコンテンツを形成するデータ群（ＷＥＢページ等）をコンテンツ格納部１３から抽出し、この抽出されたデータ群を通信部１１を介してユーザ端末へ送信する。
【００４３】
ＷＥＢサーバ部１２は、所定コンテンツにアクセスしてきたユーザに送られたＷＥＢページにおいてユーザ端末から入力されたユーザ識別情報（ユーザＩＤ、パスワード等）を受信すると、そのユーザ識別情報をユーザ認証部１６へ送る。ＷＥＢサーバ部１２は、その所定コンテンツにアクセスしてきたユーザがコンテンツ所有ユーザであることをユーザ認証部１６から通知されると、そのコンテンツ所有ユーザに対してはコンテンツを更新することができるメニューが表示されるようなＷＥＢページを送信する。
【００４４】
コンテンツ格納部１３は、各ユーザにそれぞれ割り当てられるネットワーク上でのロケーション毎に、そのロケーション上のコンテンツを形成するデータ群をそれぞれ格納する。コンテンツ格納部１３は、ＷＥＢサーバ部１２からの要求により所定のコンテンツを形成するデータ群をＷＥＢサーバ部１２へ渡す。
【００４５】
コンテンツ格納部１３は、初期状態では、各コンテンツがそれぞれ初期画面となるようなデータ群を格納する。コンテンツ格納部１３は、コンテンツ所有ユーザによりコンテンツの更新データを受けると、その更新されたコンテンツに関するデータ群を格納する。以降、更新後のコンテンツデータがユーザ端末に送信される。
【００４６】
ユーザ認証部１６は、ＷＥＢサーバ部１２からユーザ識別情報を受けると、このユーザ識別情報とユーザ識別情報格納部１７に格納される対象コンテンツのユーザ識別情報とを照合する。ユーザ認証部１６は、このユーザ識別情報がその対象コンテンツに関しユーザ識別情報格納部１７に格納されていない場合には、このユーザ識別情報をその対象コンテンツのコンテンツ所有ユーザの情報としてユーザ識別情報格納部１７に格納する。一方、ユーザ認証部１６は、その対象コンテンツに関し既にユーザ識別情報格納部１７に何らかのユーザ識別情報が格納されている場合には、ユーザ端末から送られてきたユーザ識別情報がその対象コンテンツについてユーザ識別情報格納部１７に格納されているものと一致するか否かを検査する。この検査により一致すると判断すると、ユーザ認証部１６は、そのユーザがその対象コンテンツのコンテンツ所有ユーザであることをＷＥＢサーバ部１２に通知する。
【００４７】
ＵＲＬ取得部１４は、各ユーザに割り当てられるべき各コンテンツのＵＲＬ情報を取得する。このＵＲＬ情報は、システム起動時に予めメモリ等に格納されていてもよい。ＵＲ
Ｌ取得部１４は、この取得された複数のＵＲＬ情報を２次元コード生成部１５へ送る。
【００４８】
２次元コード生成部１５は、渡された複数のＵＲＬ情報に基づいて、各ＵＲＬ情報をそれぞれ含む各２次元コード７をそれぞれ生成する。本発明は、この２次元コードの生成手法を限定するものではないため、利用される２次元コードの種類に応じて所定の手法で生成されるようにすればよい。２次元コード生成部１５は、生成された２次元コード７を製造システム５０へ送る。
【００４９】
〈製造システム〉
製造システム５０は、コンテンツサーバ１０から送られる各２次元コード７がそれぞれ裏面に印刷された各アクセサリ５をそれぞれ製造する。本発明は、このアクセサリ５の製造方法を限定するものではなく、製造される各アクセサリ５の裏面に各２次元コード７がそれぞれ印刷されていればよい。従って、製造システム５０は各２次元コード７が印刷されたシールをそれぞれ製造するようにし、別システムにより製造されたアクセサリの裏面にこの２次元コード７の印刷されたシールが貼られるようにしてもよい。このように製造されたアクセサリ５はユーザに提供される。
【００５０】
〈携帯電話〉
携帯電話２０は、通信部２１、撮影部２２、表示部２３、操作部２４、ＷＥＢブラウジング部２５、２次元コードデコーダ２６等を備える。これら各機能部は、それぞれハードウェア回路で実現されるようにしてもよいし、メモリに記憶された制御プログラムがＣＰＵにロードされ実行されることにより実現されるようにしてもよい。
【００５１】
通信部２１は、他の機能部から送られてくる音声データやパケットデータを無線信号に変換し、この無線信号を移動体通信システム３０へ送信する。また、通信部２１は、移動体通信システム３０から送出される無線信号を受信し、この無線信号を復調及び復号することにより音声データやパケットデータに変換する。受信されたパケットデータは、ＷＥＢブラウジング部２５へ送られる。
【００５２】
表示部２３は、液晶等の画面にＷＥＢブラウジング部２５から送られる所定のデータを表示させる。操作部２４は、ユーザによって操作されるキーの情報を受け、それらキー情報をＷＥＢブラウジング部２５へ送る。
【００５３】
撮影部２２は、図１及び２に示すような２次元コード７を撮影する。撮影部２２は、撮影された２次元コード７のイメージデータを２次元コードデコーダ２６へ送る。
【００５４】
２次元コードデコーダ２６は、撮影部２２から送られるイメージデータから２次元コードを読み取り、読み取られた２次元コードをデコードする。これにより、２次元コードデコーダ２６は、デコードされた２次元コードに含まれるＵＲＬを取得する。２次元コードデコーダ２６は、取得されたＵＲＬをＷＥＢブラウジング部２５へ送る。
【００５５】
ＷＥＢブラウジング部２５は、ＷＷＷブラウザ機能を有する。すなわち、ＷＥＢブラウジング部２５は、２次元コードデコーダ２６から送られるＵＲＬへアクセスするように通信部２１へ指示することにより、このＵＲＬで特定されるコンテンツデータをコンテンツサーバ１０へ要求する。ＷＥＢブラウジング部２５は、コンテンツサーバ１０から送られてくるコンテンツデータを通信部２１を介して受信し、そのデータ（例えばＨＴＭＬ（Hyper Text Markup Language）データ）を所定の形式で表示するように表示データを生成する。この表示データは表示部２３に送られる。
【００５６】
〔第一実施形態における作用及び効果〕
ここで、上述した第一実施形態におけるコンテンツ提供システムの作用及び効果について述べる。
【００５７】
本実施形態におけるコンテンツ提供システムでは、コンテンツサーバ１０において、各ユーザへそれぞれ割り当てられる複数のコンテンツが管理される。各コンテンツはそれぞれアクセス情報（ＵＲＬ）により識別される。
【００５８】
コンテンツサーバ１０では、これら複数コンテンツへアクセスするための各アクセス情報（ＵＲＬ）をそれぞれ含む複数の２次元コードが生成される（２次元コード生成部１５）。生成された複数の２次元コードは製造システム５０へ送られ、この製造システム５０において裏面に各２次元コードがそれぞれ付された複数のアクセサリ５が製造される。
【００５９】
これにより、このようなアクセサリ５を取得したコンテンツ所有ユーザは、これをペット等に付けることで装飾品として楽しむ一方、取得したアクセサリ５の裏面に付された２次元コード７に含まれるアクセス情報で特定されるコンテンツを自身のコンテンツとして即座に利用することができるようになる。
【００６０】
コンテンツ所有ユーザからユーザ端末（図示せず）を用いてそのアクセサリ５に付された２次元コードが示すコンテンツへアクセスがあると、コンテンツサーバ１０から、そのコンテンツを形成するＷＥＢページが送信される。そのＷＥＢページにおいてコンテンツ所有ユーザが自己のユーザ識別情報を入力すると、それがコンテンツサーバ１０のユーザ識別情報格納１７へ格納される。以降、コンテンツ所有ユーザは、このユーザ識別情報を入力することにより、対象コンテンツを更新することができるようになる。
【００６１】
一方、コンテンツ所有ユーザにより携帯されるアクセサリ５の裏面に付された２次元コードを自己の携帯電話２０により読み込んだ閲覧ユーザは、その２次元コードに含まれるＵＲＬにアクセスし、このＵＲＬにより特定されるコンテンツを閲覧することができる。
【００６２】
これにより、アクセサリ５を取得することにより、所定コンテンツを利用可能となったコンテンツ所有ユーザは、そのアクセサリ５を携帯することにより、自身のコンテンツを親しい友人等の閲覧ユーザにいつでもどこでも閲覧させることができる。コンテンツ所有ユーザは、通常時はそのアクセサリ５を装飾品として身に付けることができる。
【００６３】
一方、閲覧ユーザは、ＵＲＬ等を手入力することなく、そのアクセサリ５の裏面に付された２次元コードを読み込むだけで簡単に所定のコンテンツを閲覧することができる。
【００６４】
〔変形例〕
上述の第一実施形態では、コンテンツサーバ１０が２次元コード生成部１５を備える例を示したが、２次元コードは製造システム５０等の別の装置で生成されるようにしてもよい。この場合には、コンテンツサーバ１０がその別の装置に各コンテンツのＵＲＬ情報をそれぞれ出力するようにすればよい。
【００６５】
また、コンテンツ所有ユーザは、自身が利用可能なコンテンツにアクセスする際には、自身が取得したアクセサリ５に付された２次元コードを利用してもよいが、アクセサリ５の販売時のパッケージ等にこのコンテンツへのＵＲＬ情報が印刷されており、それを用いてアクセスするようにしてもよい。また、ユーザ識別情報についてもそのアクセサリ５のパッケージ等に印刷されるようにしてもよい。
【００６６】
［第二実施形態］
以下、本発明の第二実施形態としてのコンテンツ提供システムについて説明する。第二
実施形態におけるコンテンツ提供システムは、アクセサリの代わりに２次元コードスタンプがユーザに提供される点、コンテンツ所有ユーザが自身のコンテンツを更新する場合に音声データ、写真データ、動画データ等のデジタルデータをそのコンテンツに掲載することができる点において、第一実施形態とは異なる。以下、第一実施形態と異なる内容について説明するものとし、第一実施形態と同様の内容については説明を省略するものとする。
【００６７】
〔ビジネスモデル〕
この第二実施形態のコンテンツ提供システムを利用して実現されるビジネスモデルについて図４、５及び６を参照しながら説明する。図４は、第二実施形態のコンテンツ提供システムで利用される２次元コードスタンプを示す図である。図５は、第二実施形態のコンテンツ提供システムのシステム構成及びビジネスモデルの概念を示す図である。図６は、コンテンツ所有ユーザにより利用されるコンテンツの構成例を示す図である。
【００６８】
第二実施形態におけるコンテンツ提供システムでは、図４で示されるように、ＱＲコード（登録商標）、バーコード等の２次元コード７を押印（印刷）することができる２次元コードスタンプ（以降、単にスタンプとも表記する）９が利用される。このスタンプ９には取り付け具８が付いており、各種記録媒体に取り付け可能となっている。図４の例では、２次元コードスタンプ９は、デジタルカメラ４１に取り付けられている。このスタンプ９を取り付ける記録媒体としては、図４に示されるデジタルカメラ４１の他、ボイスレコーダ、デジタルビデオカメラ、携帯電話等が好適である。なお、本発明は、スタンプ９による２次元コード７の刷り写し手法を限定するものではない。例えば、スタンプ９は、内蔵されるインクが印面に自動で塗布されこの印面が紙等に押し付けられることにより、２次元コード７の印影を写す。この２次元コード７に含まれるアクセス情報については第一実施形態と同様である。
【００６９】
このように提供されるスタンプ９を取得した第１ユーザは、第一実施形態と同様に、このスタンプ９で押印される２次元コード７に含まれるＵＲＬにより特定されるコンテンツサーバ１０上のコンテンツを自身のコンテンツとして利用することができる。すなわち、この第１ユーザはコンテンツ所有ユーザとなる。
【００７０】
このコンテンツ所有ユーザとなった第１ユーザは、このスタンプ９を携帯する。例えば、第１ユーザ所有のデジタルカメラ４１にこのスタンプ９が取り付けられる。ここで、図５の例に示すように、この第１ユーザが、友人である第２ユーザの結婚式でこの第２ユーザの晴れ姿をデジタルカメラ４１で撮影したとする。第１ユーザは、その場でこの写真４５を渡すことはできないので、そのデジタルカメラ４１に取り付けていたスタンプ９により所定の用紙（例えば名刺）に２次元コードを押印し、この名刺を第２ユーザへ渡しておく。
【００７１】
第１ユーザは、自宅のＰＣ３２にデジタルカメラ４１で撮影した写真データ４５を移す。第１ユーザは、所有するスタンプ９で押印される２次元コード７が示すＵＲＬへアクセスし、この写真データをこのＵＲＬで特定されるコンテンツへアップロードする。このとき、第１ユーザは、自身のユーザ識別情報を入力することで、自身がコンテンツ所有ユーザであることをコンテンツサーバ１０へ認証させる。
【００７２】
一方、２次元コードが押印された名刺を取得した第２ユーザは、自宅のＰＣ２９、自己の携帯電話２０等でこの２次元コードを読み取り、この２次元コードの示すＵＲＬへアクセスする。これにより、第２ユーザは、図６に示すように、結婚式において第１ユーザにより撮影された写真４５をそのアクセス先のコンテンツ上で閲覧することができる。以下、第一実施形態と同様に、この第２ユーザを閲覧ユーザと表記する場合もある。
【００７３】
〔システム構成〕
第二実施形態におけるコンテンツ提供システムのシステム構成は、図２に示す第一実施形態と変わるところがない。但し、説明の便宜のため、図５において、第一実施形態では図示されなかったコンテンツ所有ユーザが利用するユーザ端末としてパーソナルコンピュータ（ＰＣ）３２を図示し、記録媒体としてのデジタルカメラ４１と携帯電話３１とを図示し、更に、閲覧ユーザのユーザ端末としてＰＣ２９を図示した。
【００７４】
〔装置構成〕
第二実施形態におけるコンテンツ提供システムを構成する各装置の機能についても第一実施形態と同様である。従って、第一実施形態では特に説明されなかったコンテンツ所有ユーザの利用するＰＣ３２、記録媒体として利用された場合の携帯電話３１、閲覧ユーザの利用するＰＣ２９について以下に簡単に説明する。
【００７５】
記録媒体として利用された場合の携帯電話３１については、閲覧ユーザの利用する第一実施形態の携帯電話２０の機能に加えて、撮影部２２で撮影された写真データ、動画データ等を格納し、ＷＥＢブラウジング部２５が所定のコンテンツを更新する際にこれらデジタルデータをその所定のコンテンツへアップロードすることのできる機能を持つ。なお、携帯電話において写真データ、動画データ等を格納する手法、このようなデジタルデータをネットワークを介して所定のサーバへ送信する手法については既に周知の手法であるため、ここでは説明を省略する。
【００７６】
ＰＣ３２及びＰＣ２９についてもインターネット１に接続可能な通信機能を持ち、ＷＥＢブラウザ機能を持つ一般的なＰＣと変わるところはない。なお、コンテンツ所有ユーザの利用するＰＣ３２は、記録媒体（デジタルカメラ４１）で記録された写真データ、動画データ、音声データ等のデジタルデータを当該記録媒体から受けとり、格納する機能を有する必要がある。このような機能についても一般的な機能であるためここでは説明を省略する。
【００７７】
〔第二実施形態における作用及び効果〕
ここで、上述した第二実施形態におけるコンテンツ提供システムの作用及び効果について述べる。
【００７８】
第二実施形態におけるコンテンツ提供システムでは、第一実施形態と異なり、製造システム５０により２次元コードを押印することができる２次元コードスタンプ９が製造される。この２次元コードには、第一実施形態と同様に、コンテンツサーバ１０で管理される複数のコンテンツのうちのいずれかへアクセスするためのアクセス情報（ＵＲＬ）が含まれる。
【００７９】
これにより、スタンプ９を取得したコンテンツ所有ユーザは、自己の所有する記録媒体４１に記録されるデジタルデータをそのスタンプ９に割り当てられたコンテンツにアップロードすることができるようになる。コンテンツへのデジタルデータのアップロードは、第一実施形態におけるコンテンツの更新許可の一環である。すなわち、コンテンツ所有ユーザは、そのスタンプ９に割り当てられたコンテンツへアクセスし自己のユーザ識別情報を入力することで、コンテンツサーバ１０でユーザ認証を受ける。
【００８０】
一方、閲覧ユーザは、このコンテンツ所有ユーザからスタンプ９を用いて２次元コードが押印された用紙を貰い、この用紙に押印された２次元コードを携帯電話やＰＣ等で読み取ることにより得られるＵＲＬへアクセスする。これにより、閲覧ユーザは、コンテンツ所有ユーザによりアップロードされたデジタルデータをそのＵＲＬで特定されるコンテン
ツ上で閲覧することができる。
【００８１】
従って、本実施形態によれば、スタンプ９を取得することにより、コンテンツ所有ユーザは、記録媒体４１に記録されたデジタルデータをその所定コンテンツへアップロードすることができるだけでなく、このスタンプ９を記録媒体に取り付け携帯することにより、この記録媒体に記録されたデータがアップロードされたコンテンツを閲覧させたいユーザにそのスタンプ９で２次元コードを押印しさえすればいつでもどこでもそのコンテンツを紹介することができる。
【図面の簡単な説明】
【００８２】
【図１】第一実施形態のコンテンツ提供システムで利用されるアクセサリを示す図である。
【図２】第一実施形態のコンテンツ提供システムのシステム構成及びビジネスモデルの概念を示す図である。
【図３】第一実施形態におけるコンテンツサーバ１０及び携帯電話２０の機能構成の概略を示すブロック図である。
【図４】第二実施形態のコンテンツ提供システムで利用される２次元コードスタンプを示す図である。
【図５】第二実施形態のコンテンツ提供システムのシステム構成及びビジネスモデルの概念を示す図である。
【図６】コンテンツ所有ユーザにより利用されるコンテンツの構成例を示す図である。
【符号の説明】
【００８３】
１  インターネット
５  アクセサリ
７  ２次元コード
８  取り付け具
９  ２次元コードスタンプ
１０  コンテンツサーバ
１１  通信部
１２  ＷＥＢサーバ部
１３  コンテンツ格納部
１４  ＵＲＬ取得部
１５  ２次元コード生成部
１６  ユーザ認証部
１７  ユーザ情報格納部
２０  ユーザ端末、携帯電話
２１  通信部
２２  撮影部
２３  表示部
２４  操作部
２５  ＷＥＢブラウジング部
２６  ２次元コードデコーダ
２９  ユーザ端末、ＰＣ
３０  移動体通信システム
３１  ユーザ端末、携帯電話
３２  ユーザ端末、ＰＣ
４１  記録媒体、デジタルカメラ
５０  製造システム
【図１】
2009009292.tif 000003
【図２】
2009009292.tif 000004
【図３】
2009009292.tif 000005
【図４】
2009009292.tif 000006
【図５】
2009009292.tif 000007
【図６】
2009009292.tif 000008